(57)【要約】【課題】廃棄物の発生も少なく工事期間中の居住も可能であり、なおかつ低コストで簡単に改修を行うことができる金属薄板葺屋根の改修構造を提供する。【解決手段】金属板葺屋根の上に施す金属板葺屋根の改修構造において、既存の屋根材によって形成される凹凸を有する下地１に対して下地処理材２を充填することによって平坦な面とした上で、その平坦な面にエラストマー製防水シート３を敷設接着することによって防水性を保持する改修構造である。【選択図】図１
2005097996.tif 000002
【特許請求の範囲】
【請求項１】
金属板葺屋根の上に施す金属板葺屋根の改修構造において、既存の屋根材からなる凹凸を有する下地に下地処理材を積層することで平坦化した面に、エラストマー製防水シートを敷設接着してなることを特徴とする金属板葺屋根の改修構造。
【請求項２】
下地処理材がポリマーセメントである請求項１記載の金属板葺屋根の改修構造。
【請求項３】
下地処理材と金属板葺屋根からなる下地との間にセメント系水和凝固型防水剤を介在してなる請求項１〜２記載の金属板葺屋根の改修構造。
【請求項４】
金属板葺屋根の上に施す金属板葺屋根の改修工法において、既存の屋根材によって形成される凹凸を有する下地に下地処理材を積層することによって平坦化し、エラストマー製防水シートを敷設接着してなることを特徴とする金属板葺屋根の改修工法。
【請求項５】
下地処理材がポリマーセメントである請求項１記載の金属板葺屋根の改修工法。
【請求項６】
下地処理材と金属板葺屋根からなる下地との間にセメント系水和凝固型防水剤を介在してなる請求項１〜２記載の金属板葺屋根の改修工法。
【発明の詳細な説明】
【技術分野】
【０００１】
本発明は、建築物の屋根に施工した金属板葺屋根を防水シートにて改修する構造に関するものであり、既設屋根材を撤去することなく敷設することができ、水密性にもすぐれた改修構造に関する。
【背景技術】
【０００２】
傾斜を有する屋根を葺く方法の１つとして金属製の板を用いる金属薄板屋根工法があり、平葺、立はぜ葺、瓦棒葺、波板葺、横葺、金属瓦葺などの方法がある。
【０００３】
これらの方法はそれぞれ屋根葺工法として技術的に確立されたものであり、安価に施工することができるとともに加工性、防水性も瓦屋根よりも改善されているものが多く、特に従来の瓦を用いることによって得られる外観上の必要性がない簡易的な建築物においては多く用いられている工法である。
【０００４】
しかし、これらの金属薄板屋根工法は、屋根材の主体をなす部材として溶融亜鉛メッキ鋼板、塗装溶融亜鉛メッキ鋼板、溶融アルミニウムメッキ鋼板、塗装ステンレス鋼板、アルミニウム合金板、塗装アルミニウム合金板などの金属板を用いている。塗装、メッキなどの防食処理によってある程度の長期の使用には耐え得るもののその期間は８〜１０数年程度であり、その期間を経過した後は水密性を保持することが段々できなくなってくる。また、外観においても腐食が進んで見るに耐えない状態にまでなってしまう。
【０００５】
腐食が進んだ状態の屋根を部分的もしくは全面的に補修したり、場合によっては屋根全体を葺き替えたりするといったことも必要になってくる。屋根全体を葺き替えるとなると時間とコストをかけなければならないうえに、工事期間中は居住できないといった問題もあることから屋根を葺き替えることなく既存の屋根をそのままにして新規な防水層を形成する方法を採ることが好ましい。しかし、前記のような屋根の場合は屋根が凹凸を有しており、そのままでは新規防水層を形成することが困難である。
【０００６】
例えば特許文献１に示すように既存の屋根上に防水性を有するパネルを配置するという方法がある。この方法は凹凸を有する凸の部分にパネルをおいて固定する方法である。
【０００７】
また、特許文献２、特許文献３には金属薄板からなる屋根ではなくスレートなどの新生瓦屋根の補修を対象にしたものであるが、やはり既存の屋根を撤去することなくその上に新規の防水層を形成する工法であって、新規の防水層には裏打ち材を有しており、特許文献３では既存の屋根上に合成樹脂発泡体層を配置する工法が開示されている。
【０００８】
【特許文献１】特開２００１−１２３５８７号公報
【特許文献２】特開平７−２９２８６６号公報
【特許文献３】特開平５−３０５４５１号公報
【発明の開示】
【発明が解決しようとする課題】
【０００９】
上述の特許文献１、特許文献２、特許文献３に開示されたような工法を採ることによって既存の屋根材を撤去することなく新規の防水層を配置して屋根を形成することができるので、廃棄物の発生も少なく工事期間中も居住可能であるといったメリットをもっているが、新規の防水層も金属などからなるパネルや屋根材を多数配置して既存の屋根に取り付けるものであり、意匠性には優れているものの屋根材を一つ一つ固定していく手間がかかるとともにコスト的にも過大なものとなってしまう。
【００１０】
ゴムなどのエラストマー材料からなるシートを防水層として用いることによって、防水層を形成する手間が大きく削減されコストの面でも有利になるが、凹凸を有する下地に対してはシートの均一な接着が困難であった。
【００１１】
そこで、本発明では屋根の改修構造において、既存の屋根材を撤去せずに新規防水層を形成するもので廃棄物の発生も少なく工事期間中の居住も可能であり、なおかつ低コストで簡単に改修を行うことができる金属薄板葺屋根の改修構造を提供することを目的とする。
【課題を解決するための手段】
【００１２】
上記のような目的を達成するために本発明の請求項１では、金属板葺屋根の上に施す金属板葺屋根の改修構造において、既存の屋根材からなる凹凸を有する下地に下地処理材を積層することで平坦化した面に、エラストマー製防水シートを敷設接着してなることを特徴とする。
【００１３】
請求項２では下地処理材がポリマーセメントである金属板葺屋根の改修構造としている。
【００１４】
請求項３では、下地処理材と金属板葺屋根からなる下地との間にセメント系水和凝固型防水材を介在してなる金属板葺屋根の改修構造としている。
【００１５】
請求項４では、金属板葺屋根の上に施す金属板葺屋根の改修工法において、既存の屋根材によって形成される凹凸を有する下地に下地処理材を積層することによって平坦化し、エラストマー製防水シートを敷設接着してなることを特徴とする。
【００１６】
請求項５では下地処理材がポリマーセメントである金属板葺屋根の改修工法としている。
【００１７】
請求項６では、下地処理材と金属板葺屋根からなる下地との間にセメント系水和凝固型防水材を介在してなる金属板葺屋根の改修工法としている。
【発明の効果】
【００１８】
請求項１や請求項４のように凹凸を有する屋根を下地処理材で平坦にすることによってエラストマー製の防水シートを隙間なく密着させて敷設できるので水密性にも優れた防水層を比較的簡単に低コストで形成することができる。
【００１９】
請求項２や請求項５のように下地処理材をポリマーセメントとすることによって安価であるとともに亀裂を生じたとしても金属板から剥落しにくいことから改修後の防水性能を長く維持することができるので好ましい形態である。
【００２０】
請求項３や請求項６のように下地処理材と金属板からなる下地との間にセメント系水和凝固型防水材を介在させることによって下地処理材の金属薄板葺屋根からな下地への密着性を良好することができる。また、この層も防水性を有しているのエラストマー製の防水シートと併せて二重の防水を施すことができより水密性を向上させることができる。
【発明を実施するための最良の形態】
【００２１】
図１に示すのは、本発明にかかわる金属薄板葺屋根の改修構造の例を示す断面図である。本発明の改修構造は、既設の金属薄板葺屋根からなる下地１上に下地処理材２と防水シート３を積層したものである。そして必要に応じて下地１の表面にはプライマー４を塗布してセメント系水和凝固型防水剤５を塗布積層している。
【００２２】
また、防水シート３は下地処理材２に対して接着剤６を用いて接着固定している。更に防水シート３の上には場合によっては断熱塗料７などを塗布したり、化粧層（図示しない）を配置したりしてもよい。
【００２３】
この改修工法は、まず下地１にプライマー４を塗布して下地の汚れを取り除き、次にセメント系水和凝固型防水剤５を塗布して、その上に下地処理材２を下地１の凹凸を埋めて平坦になる程度の量を盛って均す。下地処理材２が硬化したら、つぎに下地処理材２によって平坦化した面に接着剤を塗布して防水シート３を接着する。断熱塗料などを塗る場合はその後で防水シート３の表面に塗布する。
【００２４】
本発明で言う金属薄板葺屋根とは、屋根材の主体をなす部材として溶融亜鉛メッキ鋼板、塗装溶融亜鉛メッキ鋼板、溶融アルミニウムメッキ鋼板、塗装ステンレス鋼板、アルミニウム合金板、塗装アルミニウム合金板などの金属板を用いた平葺、立はぜ葺、瓦棒葺、波板葺、横葺、金属瓦葺などの金属薄板屋根工法である。
【００２５】
下地処理材２として使用することができるのは、ポリマーセメントペースト、ポリマーセメントモルタル、セメント系水和凝固防水剤などを挙げることができ、その中でもポリマーセメントモルタルを使用することが比較的安価であるとともに亀裂などが生じた場合でも下地である金属板から剥落しにくく防水性能を長期に維持することができるので好ましい。
【００２６】
ポリマーセメントペーストは、セメントペーストと樹脂エマルジョンを配合したものであり、セメントペーストと樹脂エマルジョンの配合比は１００／２０〜２０／１００の範囲とすることが水密性、接着性などの面で好ましい。セメントペースト分として用いられるものとしては水和硬化性粉体で、一般的なポルトランドセメントのほか、アルミナセメント、フライアッシュセメント、シリカセメント、マグネシアセメント、急硬性セメントなどが挙げられる。
【００２７】
また、砂などの骨材が混入された一般的にセメントモルタルと呼ばれるようなものを使用可能であり、現場の状態にあわせて硬化速度の調節は適宜行えばよい。
【００２８】
更に、ポリマーセメントには樹脂エマルジョンが配合されるが、樹脂エマルジョンを配合することによってポリマーセメントの防水効果を高めることができる。樹脂エマルジョンの例としては、エチレン酢酸ビニル樹脂（ＥＶＡ）、変性ＥＶＡ、アクリル樹脂、エポキシ樹脂、ウレタン樹脂、アクリルスチレン、ＳＢＲ、ＣＲなどが挙げられる。なかでもエチレン酢酸ビニル樹脂は接着性に優れていることから好ましい。
【００２９】
防水シート３としてはエチレンプロピレンジエンモノマー（ＥＰＤＭ）、エチレンプロピレンゴム（ＥＰＲ）などのゴム、ポリ塩化ビニル（ＰＶＣ）、ポリエチレン（ＰＥ）などの樹脂製の防水シートを用いることができる。
【００３０】
プライマー４としては前記のポリマーセメントに配合する樹脂エマルジョンを適度に水で希釈したものを用いることができる。
【００３１】
セメント系水和凝固型防水剤５としては、ポリマーセメントペースト、骨材入りポリマーセメント、ポリマーセメントモルタルなど様々なものが使用可能である。
【００３２】
以上のように凹凸を有する金属薄板葺屋根の表面を下地処理材によって平坦とすることによってゴムや樹脂からなるエラストマー製の防水シートをより高い密着度で敷設することができ、簡単に水密性の高い補修をすることができる。
【産業上の利用可能性】
【００３３】
本発明は金属板を折り曲げ加工したようなパネルや瓦状部材を用いて葺いた屋根における腐食などを改修する際に、廃棄物を出すことなく簡単にエラストマー製の防水シートを用いて改修を行う用途に利用することができる。
【図面の簡単な説明】
【００３４】
【図１】本発明の金属薄板葺屋根の改修構造の一例を示す断面図である。
【符号の説明】
【００３５】
１    下地
２    下地処理材
３    防水シート
４    プライマー
５    セメント系水和凝固防水剤
６    接着剤
７    断熱塗料
【図１】
2005097996.tif 000003